(57)【要約】【課題】熱交換器を支持するフレームとそれ以外のフレームとに分割して構成された背面フレームにおいて、熱交換器を支持するフレームがそれ以外の据付板に支持されたフレームによって支持される構成であっても、連結箇所の強度増加に伴う製造コストの増加を低減することができる空調室内機の提供。【解決手段】空調室内機は、据付板９０を介して室内の側壁面に設置される壁掛け型の空調室内機であって、背面フレームを備える。背面フレームは、第１フレームと第２フレームとを有する。第１フレームは、熱交換器を支持する熱交換器支持部と被支持部２７とを含む。第２フレームは、第１フレームよりも背面側に配置されており、据付板９０に支持される。さらに、第２フレームは、第１フレームを支持する支持部３４を含む。そして、第１フレームは、被支持部２７が支持部３４に下方から支持されることによって、据付板９０に支持される。【選択図】図５
2014185795.tif 000002
【特許請求の範囲】
【請求項１】
据付板（９０）を介して室内の側壁面に設置される壁掛け型の空調室内機であって、
熱交換器（１４）と、
前記熱交換器を支持する熱交換器支持部（２６）を含む第１フレーム（２０）と、前記第１フレームよりも背面側に配置されており前記据付板に支持される第２フレーム（３０）と、を有する背面フレーム（１６）と、
を備え、
前記第２フレームは、前記第１フレームを支持する支持部（３４）を含み、
前記第１フレームは、被支持部（２７）を含み、前記被支持部が前記支持部に下方から支持されることによって前記据付板に支持される、
空調室内機（１０）。
【請求項２】
前記熱交換器に空気を流すために回転するファン（１５）を備え、
前記支持部は、前記ファンの回転中心よりも高い位置で前記被支持部を支持する、
請求項１に記載の空調室内機。
【請求項３】
前記支持部は、前記第２フレームの上端近傍に位置しており、
前記被支持部は、前記支持部に係合する、
請求項１又は２に記載の空調室内機。
【請求項４】
前記被支持部は、前記支持部に形成された開口下部（１３４ａ）に引っ掛かることで前記支持部に係合する被支持用突起（１２７ｂ）を含む、
請求項１から３のいずれか１項に記載の空調室内機。
【請求項５】
前記支持部は、上方を開口させた箱状に形成されており、
前記被支持部は、前記支持部に引っ掛かるように係合する、
請求項１から３のいずれか１項に記載の空調室内機。
【請求項６】
前記支持部は、前記第２フレームの下部に位置しており、
前記被支持部は、前記支持部に係合する、
請求項１に記載の空調室内機。
【請求項７】
前記支持部は、上方を開口させた箱状に形成されおり、
前記被支持部は、前記第１フレーム側から前記第２フレーム側に向かって斜め下方に突出しており、
前記被支持部の下端部が前記支持部に支持される、
請求項６に記載の空調室内機。
【請求項８】
前記支持部は、上方を開口させた箱状に形成されおり、
前記被支持部は、前記第１フレームの下端に位置している、
請求項６に記載の空調室内機。
【請求項９】
下部に形成された下吸込み口（８３）から前記熱交換器に至る下吸込み経路（８４）、
を備え、
前記下吸込み経路は、前記第１フレーム及び前記第２フレームが共同して構成している、
請求項１から８のいずれか１項に記載の空調室内機。
【請求項１０】
前記被支持部の前記支持部との接触面又は前記支持部の前記被支持部との接触面には、凹凸が形成されている、
請求項１から９のいずれか１項に記載の空調室内機。
【発明の詳細な説明】
【技術分野】
【０００１】
本発明は、空調室内機に関する。
【背景技術】
【０００２】
従来より、特許文献１（特開２００１−１１６３４６号公報）にも開示されているように、背面側に配置される背面フレームが熱交換器を支持するように構成された空調室内機がある。このような構成の空調室内機には、背面フレームが室内の側壁面に固定された据付板に支持されることで、空調室内機が室内の側壁面に設置される構成のものがある。
【発明の概要】
【発明が解決しようとする課題】
【０００３】
ところで、熱交換器が背面フレームによって支持される場合、背面フレームには熱交換器の重量に耐えられるだけの強度が必要になる。そして、据付板に支持される背面フレームが熱交換器を支持するフレームとそれ以外のフレームとに分割された構成であって、熱交換器を支持するフレームがそれ以外の据付板に支持されたフレームに支持されることで空調室内機が側壁面に設置される場合、フレーム同士の連結箇所に十分な強度が確保されていなければ、この連結箇所で背面フレームが折れてしまうおそれがある。このおそれを解消するために連結箇所の強度を増加させようとすると、背面フレームの製造コストが増加してしまう。
【０００４】
そこで、本発明の課題は、熱交換器を支持するフレームとそれ以外のフレームとに分割して構成された背面フレームにおいて、熱交換器を支持するフレームがそれ以外の据付板に支持されたフレームによって支持される構成であっても、連結箇所の強度増加に伴う製造コストの増加を低減することができる空調室内機を提供することにある。
【課題を解決するための手段】
【０００５】
本発明の第１観点に係る空調室内機は、据付板を介して室内の側壁面に設置される壁掛け型の空調室内機であって、熱交換器と、背面フレームと、を備える。背面フレームは、第１フレームと、第２フレームと、を有する。第１フレームは、熱交換器を支持する熱交換器支持部を含む。第２フレームは、第１フレームよりも背面側に配置されている。また、第２フレームは、据付板に支持される。さらに、第２フレームは、第１フレームを支持する支持部を含む。第１フレームは、被支持部を含む。そして、第１フレームは、被支持部が支持部に下方から支持されることによって、据付板に支持される。
【０００６】
本発明の第１観点に係る空調室内機では、被支持部が支持部に下方から支持されることで第１フレームが据付板に支持されるため、熱交換器からの重量を受ける第１フレームを下方から支えることができる。この結果、第１フレームと第２フレームとの連結箇所に大きな力が作用し難くなるため、第１フレームと第２フレームとの連結箇所の強度を確保しやすくなる。
【０００７】
これによって、分割された背面フレームにおいて、第１フレームが第２フレームに支持される構成であっても、連結箇所の強度増加に伴う製造コストの増加を低減することができる。
【０００８】
本発明の第２観点に係る空調室内機は、第１観点の空調室内機において、熱交換器に空気を流すために回転するファンを備える。支持部は、ファンの回転中心よりも高い位置で被支持部を支持する。この空調室内機では、被支持部がファンの回転中心よりも高い位置で支持部に支持されることで、第１フレームが据付板から正面側に離れないようにすることができる。
【０００９】
本発明の第３観点に係る空調室内機は、第１観点又は第２観点の空調室内機において、支持部は、第２フレームの上端近傍に位置している。被支持部は、支持部に係合する。この空調室内機では、第２フレームの上端近傍に位置する支持部に被支持部を係合させることで、第１フレームの上端部と第２フレームの上端部とが離れないようにすることができる。これにより、背面フレームの組み立てる際、第１フレームと第２フレームとを一体化するために使用されるビス等の締結部材の数を減らすことができる。
【００１０】
なお、ここでいう「上端近傍」は上端を含まず、「上端部」は上端を含むものとする。
【００１１】
本発明の第４観点に係る空調室内機は、第１観点から第３観点のいずれかの空調室内機において、被支持部は、支持部に形成された開口下部に引っ掛かることで支持部に係合する被支持用突起を含む。この空調室内機では、被支持部の被支持用突起を支持部に形成された開口下部に引っ掛ける簡易な構成により、被支持部を支持部に係合させることができる。
【００１２】
本発明の第５観点に係る空調室内機は、第１観点から第３観点のいずれかの空調室内機において、支持部は、上方を開口させた箱状に形成されている。被支持部は、支持部に引っ掛かるように係合する。この空調室内機では、支持部を箱状に形成することで、支持部の強度を高めることができる。
【００１３】
本発明の第６観点に係る空調室内機は、第１観点の空調室内機において、支持部は、第２フレームの下部に位置している。また、被支持部は、支持部に係合する。この空調室内機では、第２フレームの下部に位置する支持部に被支持部を係合させることで、第１フレームの下端部と第２フレームの下端部とが離れないようにすることができる。この結果、背面フレームを組み立てる際、第１フレームと第２フレームとを一体化するために使用されるビス等の締結部材の数を減らすことができる。
【００１４】
なお、ここでいう「下部」は、ファンの回転中心よりも下方の部分を意味している。
【００１５】
本発明の第７観点に係る空調室内機は、第６観点の空調室内機において、支持部は、上方を開口させた箱状に形成されている。被支持部は、第１フレーム側から第２フレーム側に向かって斜め下方に突出している。そして、被支持部の下端部が支持部に支持される。この空調室内機では、支持部が箱状に形成されているため、支持部の強度を増加させることができる。
【００１６】
本発明の第８観点に係る空調室内機は、第６観点の空調室内機において、支持部は、上方を開口させた箱状に形成されている。被支持部は、第１フレームの下端に位置している。この空調室内機では、支持部が箱状に形成されているため、支持部の強度を増加させることができる。
【００１７】
本発明の第９観点に係る空調室内機は、第１観点から第８観点のいずれかの空調室内機において、下部に形成された下吸込み口から熱交換器に至る下吸込み経路を備える。また、下吸込み経路は、第１フレーム及び第２フレームが共同して構成している。この空調室内機では、下吸込み経路を備えていることで、下部から室内の空気を吸込むことができる。
【００１８】
本発明の第１０観点に係る空調室内機は、第１観点から第９観点のいずれかの空調室内機において、被支持部の支持部との接触面又は支持部の被支持部との接触面には、凹凸が形成されている。当該接触面に微小な凹凸が形成されていれば、被支持部と支持部との摩擦に起因するきしみ音を抑制することができる。これにより、熱膨張等に起因したきしみ音を抑制することができる。
【発明の効果】
【００１９】
本発明の第１観点に係る空調室内機では、分割された背面フレームにおいて、第１フレームが第２フレームに支持される構成であっても、連結箇所の強度増加に伴う製造コストの増加を低減することができる。
【００２０】
本発明の第２観点に係る空調室内機では、第１フレームが据付板から正面側に離れないようにすることができる。
【００２１】
本発明の第３観点に係る空調室内機では、第１フレームと第２フレームとを一体化するために使用されるビス等の締結部材の数を減らすことができる。
【００２２】
本発明の第４観点に係る空調室内機では、簡易な構成により、被支持部を支持部に係合させることができる。
【００２３】
本発明の第５観点に係る空調室内機では、支持部を箱状に形成することで、支持部の強度を高めることができる。
【００２４】
本発明の第６観点に係る空調室内機では、第１フレームと第２フレームとを一体化するために使用されるビス等の締結部材の数を減らすことができる。
【００２５】
本発明の第７観点に係る空調室内機では、支持部の強度を増加させることができる。
【００２６】
本発明の第８観点に係る空調室内機では、支持部の強度を増加させることができる。
【００２７】
本発明の第９観点に係る空調室内機では、下部から室内の空気を吸込むことができる。
【００２８】
本発明の第１０観点に係る空調室内機では、熱膨張等に起因したきしみ音を抑制することができる。
【図面の簡単な説明】
【００２９】
【図１】本発明の実施形態に係る空調室内機の斜視図。
【図２】本発明の実施形態に係る空調室内機の概略断面図。
【図３】第１実施形態に係る空調室内機の備える背面フレームの断面を側方から見たときの模式図。
【図４】背面フレーム上部を概略的に示した断面図。
【図５】被支持部及び支持部の周辺を概略的に示した断面図。
【図６】第１フレーム及び第２フレームの構成を概略的に示した模式図であって、（ａ）第１フレームの正面図、（ｂ）第２フレームの正面図。
【図７】変形例１Ｂに係る被支持部及び支持部の周辺を概略的に示した断面図。
【図８】変形例１Ｂに係る第１フレーム及び第２フレームの構成を概略的に示した模式図であって、（ａ）第１フレームの正面図、（ｂ）第２フレームの正面図。
【図９】第２実施形態に係る空調室内機の備える背面フレームの断面を側方から見たときの模式図。
【図１０】被支持部及び支持部の周辺を概略的に示した斜視図。
【図１１】第１フレーム及び第２フレームの構成を概略的に示した模式図であって、（ａ）第１フレームの正面図、（ｂ）第２フレームの正面図。
【図１２】変形例２Ｂに係る背面フレームの断面を側方から見たときの模式図。
【図１３】第１フレーム及び第２フレームの構成を概略的に示した模式図であって、（ａ）第１フレームの正面図、（ｂ）第２フレームの正面図。
【発明を実施するための形態】
【００３０】
以下、図面を参照しながら、本発明の実施形態に係る空調室内機について説明する。なお、以下の実施形態は、本発明の具体例であって、本発明の技術的範囲を限定するものではない。
【００３１】
＜第１実施形態＞
以下に、本発明の第１実施形態に係る空調室内機１０について説明する。
【００３２】
（１）全体構成
図１は、本発明の実施形態に係る空調室内機１０の斜視図である。図２は、本発明の実施形態に係る空調室内機１０の概略断面図である。
【００３３】
なお、以下にいう「正面側」とは、図２における空調室内機１０の前側のことであり、「背面側」とは、図２における空調室内機１０の後側のことである。
【００３４】
本発明の実施形態に係る空調室内機１０は据付板９０を介して室内の側壁Ｗ面に設置される壁掛け型の室内機であって、図１及び図２に示すように、本体ケーシング１１、フィルタ１２、フィルタ掃除機構１３、熱交換器１４及びファン１５を備えている。
【００３５】
本体ケーシング１１は、前面グリル１１ａと、前面パネル１１ｂと、背面フレーム１６と、を有しており、空調室内機１０の外郭を構成している。
【００３６】
前面グリル１１ａの上部前側には、空調室内機１０の上側から本体ケーシング１１内に室内の空気を吸込むための開口である上吸込み口８０が設けられている。
【００３７】
前面パネル１１ｂは、前面グリル１１ａの前側に配置されており、空調室内機１０の前面の一部を構成している。また、前面パネル１１ｂは、開口のないフラットな形状を成している。
【００３８】
背面フレーム１６は、本体ケーシング１１の背面を構成しており、室内の側壁Ｗ面に固定された据付板９０に支持される。また、背面フレーム１６は、２以上に分割された構成であり、本実施形態では、第１フレーム２０と、第１フレーム２０とは別体の第２フレーム３０とを有している。第１フレーム２０は、熱交換器１４を支持している。第２フレーム３０は、第１フレーム２０よりも背面側に配置されている。そして、前面グリル１１ａ、前面パネル１１ｂ及び第１フレーム２０によって形成される空間内に、フィルタ１２、フィルタ掃除機構１３、熱交換器１４及びファン１５等が収まっている。
【００３９】
熱交換器１４は、側面視において両端が下方に向いて屈曲する逆Ｖ字状の形状を呈しており、通過する空気との間で熱交換を行う。また、熱交換器１４は、第１フレーム２０に固定されている。
【００４０】
ファン１５は、室内から取り込んだ空気を、熱交換器１４に当てて通過させた後、室内に吹出すための送風装置であって、本実施形態ではクロスフローファンである。ファン１５は、熱交換器１４の下方に配置されている。
【００４１】
フィルタ１２は、前面グリル１１ａと熱交換器１４との間に、熱交換器１４の上側を覆うように配置されている。このため、フィルタ１２は、熱交換器１４に向かって流入してくる室内の空気に含まれる塵埃を捕捉することができる。また、この空調室内機１０は、フィルタ１２が自動で清掃されるようにフィルタ掃除機構１３が搭載されている。
【００４２】
また、本体ケーシング１１の下部には、本体ケーシング１１の長手方向に長い長方形状の吹出し口８１が設けられている。吹出し口８１は、熱交換器１４において熱交換された空気を吹出すための開口であって、吹出し経路８２を介して本体ケーシング１１の内部と繋がっている。吹出し口８１近傍には、吹出し口８１を開閉するための水平羽根１７が回動自在に取り付けられている。水平羽根１７は、本体ケーシング１１の長手方向に長い板状の部材であって、モータ（図示せず）によって駆動して傾斜角度が異なる複数の姿勢を採ることで、吹出し空気の上下方向の流れを変更することができる。
【００４３】
そして、上吸込み口８０近傍の室内の空気は、ファン１５の稼働によって、上吸込み口８０、フィルタ１２及び熱交換器１４を経てファン１５に吸い込まれ、ファン１５から吹出し経路８２を経て吹出し口８１から吹出される。
【００４４】
なお、ファン１５の回転数や水平羽根１７の角度調整等の制御は、本体ケーシング１１内に収納された制御装置（図示せず）によって行われている。
【００４５】
また、空調室内機１０の具体的な構成は、上記のものに限定されるものではなく、分割された構成の背面フレームのうち、熱交換器を支持するフレーム以外のフレームによって、熱交換器を支持するフレームが据付板に支持される空調室内機であれば他の機器構成であってもよい。
【００４６】
（２）詳細構成
（２−１）背面フレームの構成
図３は、背面フレーム１６の断面を側方から見たときの模式図である。図４は、第１フレーム２０及び第２フレーム３０が据付板９０に支持された状態の背面フレーム１６上部を概略的に示した断面図である。図５は、第１フレーム２０及び第２フレーム３０が据付板９０に支持された状態の被支持部２７及び支持部３４の周辺を概略的に示した断面図である。図６は、第１フレーム２０及び第２フレーム３０の構成を概略的に示した模式図であって、（ａ）は第１フレーム２０の正面図であり、（ｂ）は第２フレーム３０の正面図である。なお、図６（ａ）では、第１フレーム２０と熱交換部１４ａとの位置関係を示すために、熱交換部１４ａの外郭を一点鎖線で示している。
【００４７】
空調室内機１０は据付板９０を介して室内の側壁Ｗ面に設置されるが、具体的には、本体ケーシング１１が室内の側壁Ｗ面に固定された据付板９０に支持されることで、空調室内機１０が室内の側壁Ｗ面に設置されている。また、本発明では、本体ケーシング１１に含まれる背面フレーム１６のうち、熱交換器１４を支持する第１フレーム２０以外のフレームである第２フレーム３０が、据付板９０に支持されている。
【００４８】
なお、本実施形態では、本体ケーシング１１の下部には吹出し口８１よりも背面側に下吸込み口８３が形成されている。下吸込み口８３は、下吸込み口８３から上方へと延びる下吸込み経路８４を介して本体ケーシング１１の内部と繋がっている。そして、下吸込み口８３近傍の室内空気は、ファン１５の稼動によって下吸込み口８３、下吸込み経路８４、フィルタ１２及び熱交換器１４を経てファン１５に吸い込まれ、ファン１５から吹出し経路８２を経て吹出し口８１から吹出される。なお、下吸込み経路８４は、第１フレーム２０と第２フレーム３０とが共同して形成している。
【００４９】
（２−１−１）第１フレーム
第１フレーム２０は、背面フレーム１６の前側を構成する部材であって、図２、図３、図４、図５及び図６（ａ）に示すように、第１下端部２１と、第１流路形成部２２と、ドレンパン形成部２３と、第１上端部２５と、開口形成部２４と、被支持部２７と、熱交換器支持部２６と、を有している。
【００５０】
第１下端部２１は、第１フレーム２０の一端（下端）を含んでおり、吹出し口８１の近傍に位置している。第１下端部２１は、例えば、図２及び図３に示すように、第１流路形成部２２に対して屈曲しており、第２フレーム３０に固定されている。なお、第１下端部２１は、第２フレーム３０に固定されていなくても、本体ケーシング１１に固定されていればよい。
【００５１】
第１流路形成部２２は、ファン１５の背面側から第１下端部２１へと滑らかに延びるスクロール状になっている。また、第１流路形成部２２は、第１前面２２ａと、第１前面２２ａとは反対側の面である第１背面２２ｂとを含んでいる。そして、第１前面２２ａが、吹出し経路８２の一部を構成しており、第１背面２２ｂが下吸込み経路８４の一部を構成している。
【００５２】
ドレンパン形成部２３は、熱交換器１４から滴下するドレン水を受けるためのドレンパンを構成しており、例えば、図２に示すように、第１流路形成部２２上端から分岐するように構成されている。ドレンパン形成部２３は、第１流路形成部２２上端から上方に延びる正面側受部２３ａと、正面側受部２３ａよりも背面側で第１流路形成部２２上端から上方に延びる背面側受部２３ｂと、を有する。正面側受部２３ａは、熱交換器１４においてファン１５の後方に位置する熱交換部１４ａとファン１５との間に位置しており、熱交換部１４ａ下部の正面側を覆っている。背面側受部２３ｂは、熱交換部１４ａ下部の下方に位置しており、熱交換部１４ａ下部の下側と背面側とを覆っている。そして、正面側受部２３ａ及び背面側受部２３ｂから構成されたドレンパンは、熱交換部１４ａの下部に位置する受け皿のようになるため、主に熱交換部１４ａで発生したドレン水を受けることができる。
【００５３】
第１上端部２５は、第１フレーム２０の他端（上端）を含んでおり、空調室内機１０の上部背面側に位置している。第１上端部２５は、例えば、図４に示すように、断面が鉛直に延びる平坦な面で構成されており、後述する第２上端部３３とビス９３によって連結される連結箇所を含む。第１上端部２５は必ずしも鉛直に延びる平坦な面である必要はなく、第２上端部３３と連結可能な連結箇所を含んでいればよい。すなわち、第２上端部３３の形状によって変更されてもよい。
【００５４】
開口形成部２４は、背面側受部２３ｂ側から第１上端部２５側に向かって上方に向かって延びており、背面側受部２３ｂ上端と第１上端部２５の下端とを繋いでいる。また、開口形成部２４には、下吸込み口８３から吸い込まれ下吸込み経路８４を経た空気を熱交換器１４に送り込むための開口２４ａが形成されている。開口２４ａは、図６（ａ）に示すように、第１フレーム２０の長手方向（幅方向）に長い長方形状に形成されている。
【００５５】
被支持部２７は、第１フレーム２０において、ファン１５の回転中心よりも上方に位置しており、本実施形態では、開口形成部２４において開口２４ａの上縁よりも上方に位置している（図３及び図６（ａ）参照）。また、被支持部２７は、後述する支持部３４に係合可能なように構成されており、例えば、図５に示すように、第１フレーム２０側から第２フレーム３０側に向かって突出している。さらに、本実施形態では、被支持部２７は、図６（ａ）に示すように、複数（本実施形態では、４つ）設けられている。
【００５６】
より詳しくは、被支持部２７は、開口形成部２４の背面２４ｂから背面側に向かって延びる第１部分２７ａと、第１部分２７ａの下面から鉛直に突出する被支持用突起２７ｂと、を有している。なお、ここでは、第１部分２７ａが、下面が水平に延びており、かつ、先端に向かうほど幅が小さくなる先細り形状（側面視が三角形状）に形成されているが、必ずしもその必要はなく、例えば、上方に湾曲していてもよい。また、被支持用突起２７ｂは必ずしも鉛直に延びている必要はなく、例えば、第１部分２７ａから斜め下方に延びていてもよい。このように、被支持部２７は上記形状に限定されず、その断面が、例えば、Ｌ字状、Ｕ字状、Ｊ字状又はＶ字状等、支持部３４に係合可能な形状であればよい。そして、被支持部２７が支持部３４に下方から支持されることで、第１フレーム２０が据付板９０に支持される。
【００５７】
熱交換器支持部２６は、図６（ａ）に示すように、第１フレーム２０の長手方向（幅方向）両端部に設けられており、熱交換器１４の両端を支持するように構成されている。熱交換器１４が熱交換器支持部２６に支持されることで、第１フレーム２０が熱交換器１４を支持する構成になっている。
【００５８】
（２−１−２）第２フレーム
第２フレーム３０は、背面フレーム１６の後側を構成する部材であって、図２、図３，図４、図５及び図６（ｂ）に示すように、第２下端部３１と、第２流路形成部３２と、第２上端部３３と、支持部３４と、を有している。
【００５９】
第２下端部３１は、第２フレーム３０の一端（下端）を含んでおり、第１フレーム２０の第１下端部２１が固定されている。また、第２下端部３１は、図２及び図３に示すように、水平に延びる下面部３１ａを含む。下面部３１ａには、第２フレーム３０の長手方向（幅方向）に長い開口である下吸込み口８３が形成されている。下吸込み口８３には、モータ（図示せず）の駆動により下吸込み口８３を開閉する開閉板１９が設けられている。
【００６０】
第２流路形成部３２は、第１フレーム２０の第１流路形成部２２と共に下吸込み経路８４を構成している。具体的には、第２流路形成部３２は、第２前面３２ａと第２背面３２ｂとを含んでおり、第２前面３２ａが第１フレーム２０の第１背面２２ｂと共に下吸込み経路８４を構成しており、第２背面３２ｂは空調室内機１０の背面側の外面を構成している。また、第２流路形成部３２の上部は据付板９０に概ね沿ったフラットな形状になっており、第２流路形成部３２の下部は据付板９０との間に冷媒管等の配管を配置できるように前側に屈曲した形状になっている。
【００６１】
第２上端部３３は、第２フレーム３０の他端（上端）を含んでおり、空調室内機１０の上部背面側に位置している。第２上端部３３は、据付板９０の有する被係合部９１に上方から引っ掛かり可能なように構成されており、例えば、図４に示すように、断面がコの字状になるように設けられている。第２上端部３３が据付板９０の有する被係合部９１に係合することで、第２フレーム３０が据付板９０に支持される。
【００６２】
第２上端部３３は、水平に延びる第２上面部３３ａと、第２上面部３３ａの下面から鉛直に延びる第２正面部３３ｂと、第２正面部３３ｂの下面から鉛直に延びる第２背面部３３ｃと、を有している。また、第２上端部３３が被係合部９１に係合した状態で、第２背面部３３ｃは第２正面部３３ｂよりも背面側に位置している。そして、本実施形態では、第１上端部２５と接触する部分を含む第２正面部３３ｂが、第１上端部２５とビス９３によって連結される連結箇所を含む。なお、本実施形態では、第２上端部３３の正面部が連結箇所を含んでいるが、これに限定されず、第２上端部３３以外の部分に連結箇所が設けられていてもよい。また、第２上面部３３ａは必ずしも水平に延びている必要はなく、例えば上方に湾曲していてもよい。また、第２正面部３３ｂ及び第２背面部３３ｃは必ずしも鉛直に延びている必要はなく、例えば第２上面部３３ａから斜め下方に延びていてもよい。このように、第２上端部３３は上記形状に限定されず、その断面が、例えば、Ｌ字状、Ｕ字状、Ｊ字状又はＶ字状等、据付板９０の被係合部９１に係合可能な形状であればよく、据付板９０の被係合部９１の形状によって変更されてもよい。
【００６３】
支持部３４は、第２フレーム３０において、被支持部２７に対向するようにファン１５の回転中心よりも上方に位置しており、本実施形態では、第２フレーム３０の第２流路形成部３２の上部に設けられている（図３参照）。また、支持部３４は、第１フレーム２０の被支持部２７に係合可能なように構成されており、例えば、図５に示すように、第２フレーム３０側から第１フレーム２０側に向かって突出している。さらに、本実施形態では、支持部３４は、図６（ｂ）に示すように、複数（本実施形態では、４つ）設けられている。
【００６４】
より詳しくは、支持部３４は、第２流路形成部３２の第２前面３２ａから正面側に向かって延びる第２部分３４ａと、第２部分３４ａの上面から鉛直に突出する支持用突起３４ｂと、を有している。なお、第２部分３４ａは、上面が水平に延びており、かつ、先端に向かうほど幅が小さくなる先細り形状（側面視が三角形状）に形成されているが、必ずしもその必要はなく、例えば、下方に湾曲していてもよい。また、支持用突起３４ｂは必ずしも鉛直に延びている必要はなく、例えば、第２部分３４ａから斜め上方に延びていてもよい。このように、支持部３４は上記形状に限定されず、その断面が、例えば、Ｌ字状、Ｕ字状、Ｊ字状又はＶ字状等、被支持部２７が係合可能な形状であればよい。そして、支持部３４が被支持部２７を下方から支持することで、第１フレーム２０が据付板９０に支持される。すなわち、支持部３４は、第１フレーム２０を支持するものであり、被支持部２７を下方から支えつつ、第１フレーム２０が据付板９０から正面側に離れることを防止している。
【００６５】
（３）特徴
（３−１）
背面フレームが分割された構成であって、熱交換器を支持するフレームが、それ以外の据付板に支持されたフレームに支持される場合、フレーム同士の連結箇所に十分な強度が確保されていなければ、熱交換器の重量により連結箇所に大きな力が加わることで背面フレームが折れてしまうおそれがある。このおそれを解消するために連結箇所の強度を増加させようとすると、背面フレームの製造コストが増加してしまう。
【００６６】
そこで、本実施形態では、被支持部２７が支持部３４に下方から支持されることで、熱交換器１４を支持している第１フレーム２０が据付板９０に支持されている。このため、熱交換器１４からの重量を受ける第１フレーム２０を下方から支えることができる。この結果、第１フレーム２０と第２フレーム３０との連結箇所に大きな力が作用し難くなるため、第１フレーム２０と第２フレーム３０との連結箇所の強度を確保しやすくなる。
【００６７】
これによって、分割して構成された背面フレーム１６において、熱交換器１４の重量を受ける第１フレーム２０が第２フレーム３０に支持される構成であっても、連結箇所の強度増加に伴う製造コストの増加を低減することができている。
【００６８】
（３−２）
本実施形態では、支持部３４が、第２フレーム３０において、ファン１５の回転中心よりも高い位置にある。このため、支持部３４は、第２フレーム３０の上部で、被支持部２７を下方から支えつつ、第１フレーム２０が据付板９０から正面側に離れないようにすることができる。したがって、第１フレーム２０と第２フレーム３０との連結箇所に使用されるビス等の締結部材の数を減らすことができている。
【００６９】
（３−３）
本実施形態では、支持部３４は、第２フレーム３０の上端近傍に位置している。このため、被支持部２７が支持部３４に係合することで、第１フレーム２０の第１上端部２５と第２フレーム３０の第２上端部３３とが離れないようにすることができる。これにより、背面フレーム１６を組み立てる際に、第１フレーム２０と第２フレーム３０とを一体化するために連結箇所等に使用されるビス等の締結部材の数を減らすことができている。
【００７０】
（３−４）
本実施形態では、被支持部２７及び支持部３４は、断面がＬ字状になるように設けられている。このように、断面をＬ字状に形成するだけの簡易な構成により、被支持部２７を支持部３４に引っ掛けるように係合させて、第１フレーム２０を下方から支持することができている。
【００７１】
また、支持部３４が上方を開口させた箱状に形成されている場合には、支持部３４が側方に開口していないことで、支持用突起３４ｂと第２流路形成部３２とがそれぞれの離れる方向に開き難くなり、支持部３４の強度を増加させることができる。さらに、被支持部２７が下方に開口した箱状に形成されている場合には、被支持部２７が側方に開口していないことで、被支持用突起２７ｂと開口形成部２４とがそれぞれの離れる方向に開き難くなり、被支持部２７の強度を増加させることができる。
【００７２】
（３−５）
本実施形態では、第１フレーム２０と第２フレーム３０とが共同して下吸込み経路８４を形成している。このように、下吸込み経路８４が設けられていることで、空調室内機１０の下方からも室内の空気を吸込むことができている。
【００７３】
（４）変形例
（４−１）変形例１Ａ
上記実施形態では、背面フレーム１６を分割して構成された第１フレーム２０と第２フレーム３０との間に下吸込み経路８４が設けられているが、このような経路が設けられていなくてもよい。
【００７４】
例えば、上記実施形態の空調室内機１０において、下面部３１ａの下吸込み口８３及び開口形成部２４の開口２４ａが設けられておらず、背面フレーム１６の内部が閉じた空間であってもよい。このように、空調室内機１０の背面側に中空があることで断熱性を向上させることができるため、断熱材の使用量を削減することができる。
【００７５】
（４−２）変形例１Ｂ
上記実施形態では、支持部３４が、第２フレーム３０側から第１フレーム２０側に向かって突出している。しかしながら、被支持部２７を下方から支持することができれば、支持部３４が第２フレーム３０から突出するような構成でなくてもよい。
【００７６】
例えば、図７及び図８に示すように、支持部１３４が、被支持部１２７の係合する開口部を含むものであってもよい。図７及び図８に示す支持部１３４は、第２流路形成部３２の一部であり、第２流路形成部３２上部において開口１３５が形成された部分のことである。この場合、被支持部１２７は、第１フレーム１２０側から第２フレーム１３０側に向かって突出するように設けられている。より詳しくは、被支持部１２７は、開口形成部２４の背面２４ｂから背面側に向かって延びる第１部分１２７ａと第１部分１２７ａの下面から鉛直に突出する被支持用突起１２７ｂとを有している。そして、被支持用突起１２７ｂが開口下部１３４ａに引っ掛かることで被支持部１２７が支持部１３４に係合する。このように支持部１３４に開口１３５を形成し、開口下部１３４ａに被支持部１２７の被支持用突起１２７ｂを引っ掛けるだけの簡易な構成により、被支持部１２７を支持部１３４に係合させることができ、かつ、第１フレーム１２０を下方から支持することができる。
【００７７】
また、上記実施形態では、第１部分２７ａと被支持用突起２７ｂとを有する被支持部２７が複数設けられているが、例えば、第１部分２７ａ同士が第１フレーム１２０の長手方向（幅方向）に繋がっており、第１部分２７ａの下面から複数の被支持用突起２７ｂが鉛直に突出していてもよい。なお、下吸込み経路８４を設ける場合には、長手方向に繋がる第１部分２７ａに１又は複数の開口を形成してもよい。
【００７８】
（４−３）変形例１Ｃ
上記実施形態及び変形例において、被支持部の支持部との接触面又は支持部の被支持部との接触面に、微小な凹凸が形成されていてもよい。上記実施形態であれば、支持部の支持部との接触面とは第１部分２７ａの背面部下面及び被支持用突起２７ｂの前面と下面とにあたり、支持部の被支持部との接触面とは第２部分３４ａの前部上面及び支持用突起３４ｂの上面と背面とにあたる。被支持部が支持部に支持された状態で接触する接触面のいずれかに当該接触面同士の摩擦に起因するきしみ音を抑制することのできる微小な凹凸が設けられていることで、熱膨張等に起因したきしみ音を抑制することができる。
【００７９】
なお、凹凸の形成方法としては、シボ加工、サンドブラス又は研磨等、平面が微細な凹凸形状に加工できれば、その形成方法は限定されない。
【００８０】
＜第２実施形態＞
以下に、本発明の第２実施形態に係る空調室内機について説明する。
【００８１】
（１）全体構成
本発明の実施形態に係る空調室内機は据付板９０を介して室内の側壁Ｗ面に設置される壁掛け型の室内機であって、本体ケーシング１１、フィルタ１２、フィルタ掃除機構１３、熱交換器１４及びファン１５を備えている。
【００８２】
なお、第２実施形態に係る空調室内機の全体構成は、第１実施形態に係る空調室内機の全体構成と同様であるため、ここでは説明を省略する。
【００８３】
（２）詳細構成
（２−１）背面フレームの構成
図９は、背面フレームの断面を側方から見たときの模式図である。図１０は、被支持部２２７及び支持部２３４の周辺を概略的に示した斜視図である。図１１は、第１フレーム２２０及び第２フレーム２３０の構成を概略的に示した模式図であって、（ａ）は第１フレーム２２０の正面図であり、（ｂ）は第２フレーム２３０の正面図である。なお、図１１（ａ）では、第１フレーム２２０と熱交換部１４ａとの位置関係を示すために、熱交換部１４ａの外郭を一点鎖線で示している。
【００８４】
空調室内機は据付板９０を介して室内の側壁Ｗ面に設置されるが、具体的には、本体ケーシング１１が室内の側壁Ｗ面に固定された据付板９０に支持されることで、空調室内機が室内の側壁Ｗ面に設置されている。また、本発明では、本体ケーシング１１に含まれる背面フレームのうち、熱交換器１４を支持する第１フレーム２２０以外のフレームである第２フレーム２３０が、据付板９０に支持されている。
【００８５】
なお、本実施形態では、第１実施形態と同様に、本体ケーシング１１の下部には吹出し口よりも背面側に下吸込み口８３が形成されている。下吸込み口８３は、下吸込み口８３から上方へと延びる下吸込み経路８４を介して本体ケーシング１１の内部と繋がっている。そして、下吸込み口８３近傍の室内空気は、ファン１５の稼動によって下吸込み口８３、下吸込み経路８４、フィルタ１２及び熱交換器１４を経てファン１５に吸い込まれ、ファン１５から吹出し経路８２を経て吹出し口から吹出される。なお、下吸込み経路８４は、第１フレーム２２０と第２フレーム２３０とが共同して形成している。
【００８６】
（２−１−１）第１フレーム
第１フレーム２２０は、背面フレームの前側を構成する部材であって、図９、図１０及び図１１（ａ）に示すように、第１下端部２２１と、第１流路形成部２２と、ドレンパン形成部２３と、第１上端部２５と、開口形成部２４と、熱交換器支持部２６と、を有している。なお、第１流路形成部２２、ドレンパン形成部２３、第１上端部２５、開口形成部２４及び熱交換器支持部２６の構成は、第１実施形態と同様の構成であるため、これらの構成については、第１実施形態と同様の符号を付すとともに、ここでは説明を省略する。
【００８７】
第１下端部２２１は、第１フレーム２２０の一端（下端）を含んでおり、吹出し口の近傍に位置している。第１下端部２２１は、例えば、図９に示すように、第１流路形成部２２に対して屈曲している。
【００８８】
また、第１下端部２２１は、後述する支持部２３４に係合可能なように構成された被支持部２２７を含む。被支持部２２７は、図１０及び図１１（ａ）に示すように、第１下端部２２１の下端に位置している。このため、被支持部２２７は、ファン１５の回転中心よりも下方に位置しているといえる。被支持部２２７は、第１フレーム２２０の長手方向（幅方向）に沿って下方に突出した被支持用突起２２７ａを含む。なお、被支持部２２７の形状はこれに限定されず、下方から支持部２３４に支持される構成であればよい。被支持部２２７が支持部２３４に下方から支持されることで、第１フレーム２２０が据付板９０に支持される。
【００８９】
（２−１−２）第２フレーム
第２フレーム２３０は、背面フレームの後側を構成する部材であって、図９に示すように、第２下端部２３１と、第２流路形成部３２と、第２上端部３３と、を有している。なお、第２流路形成部３２及び第２上端部３３の構成は、第１実施形態と同様の構成であるため、これらの構成については、第１実施形態と同様の符号を付すとともに、ここでは説明を省略する。
【００９０】
第２下端部２３１は、第２フレーム２３０の一端（下端）を含んでいる。また、第２下端部２３１は、図９に示すように、水平に延びる下面部２３１ａを含む。下面部２３１ａには、第２フレーム２３０の長手方向（幅方向）に長い開口である下吸込み口８３が形成されている。下吸込み口８３には、モータの駆動により下吸込み口８３を開閉する開閉板が設けられている。
【００９１】
また、第２下端部２３１は、第１フレーム２２０の被支持部２２７を支持する支持部２３４を含む。支持部２３４は、図９及び図１０に示すように、第２下端部２３１の下端（先端）に位置している。このため、支持部２３４は、ファン１５の回転中心よりも下方であって、第２フレーム２３０の下部に位置しているといえる。また、支持部２３４は、例えば、断面がコの字状になるように設けられており、本実施形態では、図１０に示すように、上方が開口した箱状に形成されている。このため、本実施形態の支持部２３４は、底面を含む溝部２３４ａを有しているといえる。また、支持部２３４は、被支持部２２７の被支持用突起２２７ａが溝部２３４ａに嵌るように、第２フレーム２３０の長手方向（幅方向）に沿って設けられている。そして、被支持部２２７の被支持用突起２２７ａが上方から溝部２３４ａに係合することで、支持部２３４は被支持部２２７を下方から支持することができる。また、被支持部２２７が支持部２３４に支持されることで、第１フレーム２２０が据付板９０から正面側に離れることが防止される。なお、支持部２３４の形状はこれに限定されず、被支持部２２７を下方から支持することができる構成であればよい。
【００９２】
（３）特徴
（３−１）
背面フレームが分割された構成であって、熱交換器を支持するフレームが、それ以外の据付板に支持されたフレームに支持される場合、フレーム同士の連結箇所に十分な強度が確保されていなければ、熱交換器の重量により連結箇所に大きな力が加わることで背面フレームが折れてしまうおそれがある。このおそれを解消するために連結箇所の強度を増加させようとすると、背面フレームの製造コストが増加してしまう。
【００９３】
そこで、本実施形態では、被支持部２２７が支持部２３４に下方から支持されることで、熱交換器１４を支持している第１フレーム２２０が据付板９０に支持されている。このため、熱交換器１４からの重量を受ける第１フレーム２２０を下方から支えることができる。この結果、第１フレーム２２０と第２フレーム２３０との連結箇所に大きな力が作用し難くなるため、第１フレーム２２０と第２フレーム２３０との連結箇所の強度を確保しやすくなる。
【００９４】
これによって、分割して構成された背面フレームにおいて、熱交換器１４の重量を受ける第１フレーム２２０が第２フレーム２３０に支持される構成であっても、連結箇所の強度増加に伴う製造コストの増加を低減することができている。
【００９５】
（３−２）
本実施形態では、支持部２３４は、被支持部２２７を下方から支えつつ、第１フレーム２２０の第１下端部２２１と第２フレーム２３０の第２下端部２３１とが離れないようにすることができる。このため、背面フレームを組み立てる際に、第１フレーム２２０と第２フレーム２３０とを一体化するために連結箇所等に使用されるビス等の締結部材の数を減らすことができている。
【００９６】
（３−３）
本実施形態では、上方が開口した箱状の支持部２３４に、第１下端部２２１の下端に位置する被支持部２２７が係合される。このように、支持部２３４が側方に開口していないことで、支持部２３４の前面と背面とがそれぞれの離れる方向に開き難くなり、支持部２３４の強度を増加させることができている。
【００９７】
（３−４）
本実施形態では、第１フレーム２２０と第２フレーム２３０とが共同して下吸込み経路８４を形成している。このように、下吸込み経路８４が設けられていることで、空調室内機の下方からも室内の空気を吸込むことができている。
【００９８】
（４）変形例
（４−１）変形例２Ａ
変形例１Ａと同様に、第２実施形態においても、第１フレーム２２０と第２フレーム２３０との間に下吸込み経路８４が設けられていなくてもよい。
【００９９】
（４−２）変形例２Ｂ
上記実施形態では、被支持部２２７が第１下端部２２１の下端に位置しており、支持部２３４が第２下端部２３１の下端（先端）に位置している。しかしながら、支持部が、第２フレームの下部に位置しており、被支持部を下方から支持する構成であれば、被支持部及び支持部が第１下端部の先端及び第２下端部の先端に設けられていなくてもよい。
【０１００】
例えば、図１２及び図１３（ａ）に示すように、被支持部３２７が第１流路形成部２２に設けられている場合について説明する。被支持部３２７は、後述する支持部３３４に係合可能なように構成されており、第１流路形成部２２に複数（本変形例では、４つ）設けられている。また、被支持部３２７は、板状のリブ部３２７ｃと、被支持用突起３２７ｂとを有する。リブ部３２７ｃは、先端に向かうほど幅が小さくなる先細り形状（側面視が三角形状）になるように形成されている。また、リブ部３２７ｃは、第１背面２２ｂから背面側下方に向かって延びている。被支持用突起３２７ｂは、支持部３３４に係合可能なように構成されており、リブ部３２７ｃの先端から下方に向かって突出している。なお、被支持部３２７の形状はこれに限定されず、下方から支持部３３４に支持される構成であればよい。被支持部３２７が支持部３３４に支持されることで、第１フレーム３２０が据付板９０に支持される。
【０１０１】
また、支持部３３４は、図１２及び図１３（ｂ）に示すように、第２下端部３３１において、第２流路形成部３２に近い側の端部に位置している。このため、支持部３３４は、ファン１５の回転中心よりも下方であって、第２フレーム３３０の下部に位置しているといえる。また、支持部３３４は、例えば、図１２に示すように、断面がコの字状になるように設けられており、底面を含む溝部３３４ａを有している。なお、本実施形態では、支持部３３４は、上方が開口した箱状に形成されている。そして、被支持部３２７の被支持用突起３２７ｂが上方から溝部３３４ａに係合することで、支持部３３４が被支持部３２７を下方から支持することになる。なお、支持部３３４の形状はこれに限定されず、被支持部３２７を下方から支持することができる構成であればよい。このように、被支持部３２７が第１フレーム３２０側から第２フレーム３３０側に向かって斜め下方に突出するような構成であっても、被支持部３２７が支持部３３４に下方に支持されることで、第１フレーム３２０と第２フレーム３３０との連結箇所に大きな力が作用し難くなるため、第１フレーム３２０と第２フレーム３３０との連結箇所の強度を確保しやすくなる。
【０１０２】
（４−３）変形例２Ｃ
変形例１Ｃと同様に、第２実施形態及び変形例においても、被支持部の支持部との接触面又は支持部の被支持部との接触面に、微小な凹凸が形成されていてもよい。上記実施形態であれば、被支持部の支持部との接触面とは被支持用突起２２７ａの外側面にあたり、接触面又は支持部の被支持部との接触面とは溝部２３４ａの内側面にあたる。なお、凹凸の形成方法としては、シボ加工、サンドブラス又は研磨等、平面が微細な凹凸形状に加工できれば、その形成方法は限定されない。
【０１０３】
（４−４）変形例２Ｄ
上記実施形態では、被支持部２２７が第１フレーム２２０の下部に位置しており、かつ、支持部２３４が第２フレーム２３０の下部に位置している。
【０１０４】
これに加えて、第１フレームの被支持部及び第２フレームの支持部が、ファン１５の回転中心よりも上方に位置していてもよい。すなわち、第２実施形態に係る空調室内機において、更に、第１実施形態の被支持部２７及び支持部３４を備えていてもよい。このように、支持部が、第２フレームの上端近傍及び下部で、被支持部を下方から支持する構成にすることで、第１フレームと第２フレームとの連結箇所に大きな力がさらに作用し難くなるため、第１フレームと第２フレームとの連結箇所の強度が確保されやすくなる。
【産業上の利用可能性】
【０１０５】
本発明は、熱交換器を支持するフレームがそれ以外の据付板に支持されたフレームによって支持される構成であっても、連結箇所の強度増加に伴う製造コストの増加を低減することができる空調室内機に係る発明であり、熱交換器を支持するフレームがそれ以外の据付板に支持されたフレームによって支持される構成の空調室内機への適用が有効である。
【符号の説明】
【０１０６】
１０      空調室内機
１４      熱交換器
１５      ファン
１６      背面フレーム
２０      第１フレーム
２６      熱交換器支持部
２７      被支持部
３０      第２フレーム
３４      支持部
８３      下吸込み口
８４      下吸込み経路
１２７ｂ    被支持用突起
１３４ａ    開口下部
【先行技術文献】
【特許文献】
【０１０７】
【特許文献１】特開２００１−１１６３４６号公報
【図１】
2014185795.tif 000003
【図２】
2014185795.tif 000004
【図３】
2014185795.tif 000005
【図４】
2014185795.tif 000006
【図５】
2014185795.tif 000007
【図６】
2014185795.tif 000008
【図７】
2014185795.tif 000009
【図８】
2014185795.tif 000010
【図９】
2014185795.tif 000011
【図１０】
2014185795.tif 000012
【図１１】
2014185795.tif 000013
【図１２】
2014185795.tif 000014
【図１３】
2014185795.tif 000015